(57)【要約】      （修正有）【課題】従来構成の配管支持具に用いることで２点又は３点吊下支持が容易に可能であり、しかも安価量産性により優れた配管支持具用吊下具を提供する。【解決手段】配管を抱持するバンド抱持部２３と該バンド抱持部の上端部分に連接されたバンド端部２１を有する配管支持具２を、天井スラブ等の取付面から２点又は３点吊下支持する際に用いる配管支持具用吊下具において、板状体から成り、該板状体には、配管支持具の前記バンド端部の両方を挿通可能なスリット状透孔と、前記取付面に一端が取付けられて該取付面から斜めに吊下げられる１本又は２本の吊下支持杆５の他端を係合可能な透孔と、を有して構成される。【選択図】図１
0003152656.tif 000002
【実用新案登録請求の範囲】
【請求項１】
配管を抱持するバンド抱持部と該バンド抱持部の上端部分に連接されたバンド端部を有する配管支持具を、天井スラブ等の取付面から２点又は３点吊下支持する際に用いる配管支持具用吊下具において、
板状体から成り、
該板状体には、配管支持具の前記バンド端部の両方を挿通可能なスリット状透孔と、前記取付面に一端が取付けられて該取付面から斜めに吊下げられる１本又は２本の吊下支持杆の他端を係合可能な透孔と、を有して構成される配管支持具用吊下具。
【請求項２】
前記透孔が、前記スリット状透孔の両側に相対向して形成された構成であることを特徴とする請求項１に記載の配管支持具用吊下具。
【請求項３】
前記透孔が、前記スリット状透孔に対して配管軸直交方向の両側に形成された構成であることを特徴とする請求項２に記載の配管支持具用吊下具。
【請求項４】
前記透孔が、前記スリット状透孔に対して配管軸方向の両側に形成された構成であることを特徴とする請求項２又は３に記載の配管支持具用吊下具。
【請求項５】
前記板状体が、配管軸方向から正面視した際に彎曲した形状を有する構成であることを特徴とする請求項１〜４のいずれかに記載の配管支持具用吊下具。
【請求項６】
前記板状体が、前記スリット状透孔と前記透孔との間に屈曲部を有し、該屈曲部の屈曲角度が前記吊下支持杆の吊下角度に対応する構成であることを特徴とする請求項１〜４のいずれかに記載の配管支持具用吊下具。
【請求項７】
前記透孔が、丸孔、又は配管軸直交方向に長径を有する長孔であることを特徴とする請求項１〜６のいずれかに記載の配管支持具用吊下具。
【請求項８】
前記板状体のスリット状透孔に、配管を抱持する配管支持具のバンド端部が挿通され、
該バンド端部が、前記取付面に一端が固定された吊りボルトの他端に吊下固定されるタンバックルにボルト・ナット固定され、
前記板状体の透孔に、前記取付面に一端が取付けられて該取付面から斜めに吊下げられる１本又は２本の吊下支持杆の他端が係合されることにより、
前記吊りボルトと１本又は２本の吊下支持杆による２点又は３点吊下支持する構成であることを特徴とする請求項１〜７のいずれかに記載の配管支持具用吊下具。
【考案の詳細な説明】
【技術分野】
【０００１】
本考案は配管支持具用吊下具に関し、詳しくは天井スラブ等の取付面に、水道管、ガス管、冷・暖房管等の各種配管を抱持支持する配管支持具に用いることで２点又は３点吊下支持することができる配管支持具に用いられる吊下具に関する。
【背景技術】
【０００２】
天井スラブ等の取付面に吊りボルト等の支持部材による吊下支持に加えて前記取付面から斜めに垂設した１本又は２本の吊下支持杆を付加すること等によって２点支持乃至は３点吊下支持することで防振（防震）構造とした技術としては、例えば、特許文献１〜３に記載のもの等が知られている。
【先行技術文献】
【特許文献】
【０００３】
【特許文献１】実用新案登録第２５２４３４０号
【特許文献２】登録実用新案第３１４８３６１号
【特許文献３】特開２００４−１５０４５２号
【考案の概要】
【考案が解決しようとする課題】
【０００４】
特許文献１及び２に示す技術は、配管支持具のバンド外面に吊下支持杆との係合部を付加することで３点吊下支持可能な技術であるが、防振支持構成を有する専用部材となるため、当然のことながら従来構成の配管支持具に比してコスト高であるだけでなく、他構成の専用品であるが故に施工現場において従来構成のものの流用が利かないため融通性に欠けるものである。
【０００５】
特許文献１に示す技術では、従来構成のままの既存のタンバックル及び配管支持具に装着することで３点吊下支持可能な技術であるが、他部材である２枚の板状部材を必要とするため、かかる部品点数の増加によって現場での部品管理の煩雑さやや装着時の手間等が新たに加わることとなっている。
【０００６】
そこで本考案の課題は、従来構成の配管支持具に用いることで２点又は３点吊下支持が容易に可能であり、しかも安価量産性により優れた配管支持具用吊下具を提供することにある。
【課題を解決するための手段】
【０００７】
上記課題を解決する本考案は下記構成を有する。
【０００８】
１．配管を抱持するバンド抱持部と該バンド抱持部の上端部分に連接されたバンド端部を有する配管支持具を、天井スラブ等の取付面から２点又は３点吊下支持する際に用いる配管支持具用吊下具において、
板状体から成り、
該板状体には、配管支持具の前記バンド端部の両方を挿通可能なスリット状透孔と、前記取付面に一端が取付けられて該取付面から斜めに吊下げられる１本又は２本の吊下支持杆の他端を係合可能な透孔と、を有して構成される配管支持具用吊下具。
【０００９】
２．前記透孔が、前記スリット状透孔の両側に相対向して形成された構成であることを特徴とする上記１に記載の配管支持具用吊下具。
【００１０】
３．前記透孔が、前記スリット状透孔に対して配管軸直交方向の両側に形成された構成であることを特徴とする上記２に記載の配管支持具用吊下具。
【００１１】
４．前記透孔が、前記スリット状透孔に対して配管軸方向の両側に形成された構成であることを特徴とする上記２又は３に記載の配管支持具用吊下具。
【００１２】
５．前記板状体が、配管軸方向から正面視した際に彎曲した形状を有する構成であることを特徴とする上記１〜４のいずれかに記載の配管支持具用吊下具。
【００１３】
６．前記板状体が、前記スリット状透孔と前記透孔との間に屈曲部を有し、該屈曲部の屈曲角度が前記吊下支持杆の吊下角度に対応する構成であることを特徴とする上記１〜４のいずれかに記載の配管支持具用吊下具。
【００１４】
７．前記透孔が、丸孔、又は配管軸直交方向に長径を有する長孔であることを特徴とする上記１〜６のいずれかに記載の配管支持具用吊下具。
【００１５】
８．前記板状体のスリット状透孔に、配管を抱持する配管支持具のバンド端部が挿通され、
該バンド端部が、前記取付面に一端が固定された吊りボルトの他端に吊下固定されるタンバックルにボルト・ナット固定され、
前記板状体の透孔に、前記取付面に一端が取付けられて該取付面から斜めに吊下げられる１本又は２本の吊下支持杆の他端が係合されることにより、
前記吊りボルトと１本又は２本の吊下支持杆による２点又は３点吊下支持する構成であることを特徴とする上記１〜７のいずれかに記載の配管支持具用吊下具。
【考案の効果】
【００１６】
請求項１に示す考案によれば、従来構成の配管支持具に用いることて２点又は３点吊下支持が可能であり、しかも安価量産性により優れた配管支持具用吊下具を提供することができる。
【００１７】
特に、１枚構成の板状体から成る吊下具を、既存の配管支持具に装着するだけで２点又は３点吊下支持が可能となる。
【００１８】
請求項２に示す考案によれば、スリット状透孔に挿通される配管支持具のバンド端部の相対向する両側に吊下支持杆を各々係合することができることにより、安定した吊下支持構成とすることができるので、防振（防震）性に優れた構造を得ることができる。
【００１９】
請求項３に示す考案によれば、配管軸直交方向への揺れに対する防振（防震）支持が可能となる。
【００２０】
請求項４に示す考案によれば、吊下支持杆が配管軸方向に斜めに吊下げられた態様に対応することができ、係る構成によれば、配管軸方向への揺れに対する防振（防震）支持が可能となる。
【００２１】
請求項５に示す考案によれば、板状体が平板構成ではなく彎曲構成であるので、取付面から斜め吊下げする吊下支持杆を板状体の透孔に係合し易くなる。
【００２２】
請求項６に示す考案によれば、取付面から斜め吊下げする吊下支持杆をガタつくことなく板状体に係合することができる。
【００２３】
請求項７に示す考案によれば、透孔に係合する吊下支持杆の斜め角度を長孔の長径方向に微調整することができる。
【００２４】
請求項８に示す考案によれば、スリット状透孔に配管支持具のバンド端部が挿通されることで吊下具と配管支持具とが一体化するように吊下具装着でき、この配管支持具と一体化した吊下具に吊下支持杆を係合することで該吊下支持杆による前記配管支持具の斜め吊下げも安定化させることができる。従って、より安定した２点又は３点吊下支持が可能となる。
【図面の簡単な説明】
【００２５】
【図１】本考案に係る配管支持具用吊下具の一実施例を用いた使用例の一例を示す概略正面図
【図２】本考案に係る配管支持具用吊下具の一実施例を示す４面図（正面図、平面図、左側面図、Ａ−Ａ線断面図）
【図３】本考案に係る配管支持具用吊下具の他の実施例を示す４面図（正面図、平面図、左側面図、Ａ−Ａ線断面図）
【図４】本考案に係る配管支持具用吊下具の他の実施例を示す４面図（正面図、平面図、左側面図、Ａ−Ａ線断面図）
【考案を実施するための形態】
【００２６】
次に、添付の図面に従って本考案を詳細に説明する。
【００２７】
本考案に係る配管支持具用吊下具（以下、単に吊下具と言うこともある。）１は、図２に示すような具体的構成を有し、使用に際しては図１に示すように配管Ｐを抱持した配管支持具２に装着されることで天井スラブ等の取付面３から防振状態で２点又は３点吊下支持する際に用いるものである。
【００２８】
吊下具１の具体的構成としては、図２に示すように、吊下具１は、板状体から成り、該板状体には、配管支持具２のバンド端部２１・２１の両方を挿通可能なスリット状透孔１１と、前記取付面３に一端が取付けられて該取付面３から斜めに吊下げられる１本又は２本（本実施例では２本）の吊下支持杆５・５の他端を係合可能な透孔１２・１２と、を有して構成される。
【００２９】
前記スリット状透孔１１のサイズとしては、吊下具１が装着される配管支持具２のバンド端部２１・２１の厚みと幅に対応するサイズ、即ち、バンド端部２１・２１の両方が挿通可能なサイズとなっている。
【００３０】
前記透孔１２は、前記スリット状透孔１１の両側に相対向して形成されていることが好ましく、より好ましくは前記スリット状透孔１１に対して配管軸直交方向の両側に形成されていることである。かかる構成によって、吊下支持杆５・５を係合することによって配管軸直交方向への揺れに対する防振（防震）支持が可能となる。
【００３１】
吊下具１を構成する板状体は、配管軸方向から正面視した際に彎曲した形状を有する構成であり、かかる構成によって、前記取付面３から斜めに吊下げられる吊下支持杆５・５の斜め吊下角度に対応した状態となるため、透孔１２・１２に該吊下支持杆５・５を安定的に且つ容易に係合することができる。
【００３２】
また、吊下具１を構成する板状体は、配管支持具２と同様の素材、即ち、この種の配管支持具類の構成素材として公知公用の素材から形成されることが好ましく、該板状体の大きさ・厚み、前記スリット状透孔１１の大きさ、透孔の大きさ等の各部の構成についても、装着する公知公用の配管支持具のバンド端部のサイズや吊下支持杆の直径等の各構成に適宜対応する構成とする。
【００３３】
次に、上記構成を有する吊下具１の使用例について説明する。
【００３４】
図１に示すように、天井スラブ等の取付面３に一端が固定された吊りボルト４にタンバックル４１を介して吊下げられると共に配管Ｐをバンド抱持部２３により抱持する配管支持具２に本考案の吊下具１を装着し、該吊下具１に前記取付面３から斜めに吊下げられる２本の吊下支持杆５・５をナットの如き係合手段５１により係合することで、前記吊りボルト４と２本の吊下支持杆５・５による３点吊下支持する構成となる。
【００３５】
吊下具１の配管支持具２への装着は、該吊下具１を構成する板状体に形成されたスリット状透孔１１に、配管Ｐを抱持する配管支持具２のバンド端部２１・２１が挿通され、該バンド端部２１・２１が、天井スラブ等の取付面３に一端が固定された吊りボルト４の他端に吊下固定されるタンバックル４１にボルト・ナット２２により固定されることで行われる。
【００３６】
以上、本考案に係る配管支持具用吊下具の実施例について説明したが、本考案は上記実施例に限定されず、本考案の範囲内において種々の他の態様を採ることもできる。
【００３７】
例えば、図１に示す上記実施例では、吊下支持杆５を２本としたが、該吊下支持杆５は施工現場の状況等の諸条件に応じて１本であってもよく、かかる諸条件に応じて吊下具１の２つの透孔１２・１２のいずれか一方に吊下支持杆５を係合することで、吊りボルト４と１本の吊下支持杆５による２点吊下支持とすることもできる。
【００３８】
また、吊下具１を構成する板状体の形状は上記実施例の彎曲構成に限定されず、図３に示すように、スリット状透孔１１と透孔１２との間に屈曲部１３を有し、該屈曲部１３の屈曲角度が前記吊下支持杆５の吊下角度に対応するように構成されていてもよい。屈曲部１３を有することで、上記実施例と同様に、前記取付面３から斜めに吊下げられる吊下支持杆５・５の斜め吊下角度に対応した状態となるため、透孔１２・１２に該吊下支持杆５・５を安定的に且つ容易に係合することができる。
【００３９】
更に、透孔１２の形成位置は上記実施例のスリット状透孔１１の配管軸直交方向の両側に限定されず、図４に示すように、スリット状透孔１１に対して配管軸方向の両側に透孔１４・１４を形成した構成とすることもできる。かかる構成によれば、吊下支持杆が配管軸方向に斜めに吊下げられた態様に対応することができ、配管軸方向への揺れに対する防振（防震）支持が可能となる。
【００４０】
尚、図４に示す実施例では、配管軸方向への揺れに対する防振（防震）支持を行う際に用いる透孔１４・１４に加えて、上記実施例と同様に配管軸直交方向への揺れに対する防振（防震）支持を行うための透孔１２・１２についても併せて形成されている。
【００４１】
更にまた、上記実施例では透孔１２は丸孔であったが、図４に示す透孔１２のように配管軸直交方向に長径を有する長孔とすることもできる。透孔１２を長孔とすることで、吊下具１を構成する板状体を彎曲又は屈曲させることなく、該透孔１２に係合する吊下支持杆５の斜め角度を長孔の長径方向での微調整が可能となる。尚、透孔１４についても長孔とすることもできる。尚また、吊下具１を構成する板状体を彎曲又は屈曲させた形状とした上で透孔１２を長孔とした態様も本考案に包含される。
【００４２】
更に、本考案の吊下具１が装着される配管支持具２としては、基本構成をバンド抱持部２３・２３によって配管Ｐを抱持し、該バンド抱持部２３・２３の上端部分に連接されたバンド端部２１・２１を有し、該バンド端部２１・２１がタンバックル４１に固定する構成の公知公用の配管支持バンドを挙げることができる。
【符号の説明】
【００４３】
１  配管支持具用吊下具
１１  スリット状透孔
１２  透孔
１３  屈曲部
２  配管支持具
２１  バンド端部
２２  ボルト・ナット
２３  バンド抱持部
３  取付面
４  吊りボルト
４１  タンバックル
５  吊下支持杆
５１  係合手段
Ｐ  配管
【図１】
0003152656.tif 000003
【図２】
0003152656.tif 000004
【図３】
0003152656.tif 000005
【図４】
0003152656.tif 000006